(57)【要約】【課題】１つのシステムで、Ｌｏｃａｌｉｚｅｄ型送信と、Ｄｉｓｔｒｉｂｕｔｅｄ型送信とをサポートでき、リソースブロック数が増加した場合においても、リソースブロックの割り当てを通知するシグナリングビットの増大を最低限にできる送信装置を提供する。【解決手段】リソースブロックおよび分散型リソースブロックのうちの一方を割り当てる送信装置に、連続する複数のリソースブロックにより第１のグループを構成し、各第１のグループを構成する複数のリソースブロックのうち１つ以上ずつのリソースブロックにより第２のグループを構成し、第１のグループおよび第２のグループの一方を割り当てる手段と、割り当てに応じて、周波数ブロックおよび分散型周波数ブロックのうちの一方へ送信データの割り当てを行う手段と、第１のグループおよび第２のグループの一方が割り当てられた移動局に対する制御情報を生成する手段とを備えることにより達成される。【選択図】図３
2008053858.tif 000002
【特許請求の範囲】
【請求項１】
各ユーザに対してシステム帯域幅を連続する周波数サブキャリアのブロックに分割したリソースブロックを単位として割り当てられ、
連続する複数のリソースブロックにより第１のグループを構成し、各第１のグループを構成する複数のリソースブロックのうち１つ以上ずつのリソースブロックにより複数の第２のグループを構成し、前記第１のグループおよび１つ以上の前記第２のグループのうちの一方のグループのリソースブロックを割り当てる周波数スケジューリング手段；
前記割り当てに応じて、前記リソースブロックへ送信データの割り当てを行うマッピング手段；
前記第１のグループおよび１つ以上の前記第２のグループのうちの一方が割り当てられた移動局に対する制御情報を生成する制御情報生成手段；
を備えることを特徴とする送信装置。
【請求項２】
請求項１に記載の送信装置において：
前記第２のグループの複数のリソースブロックを用いて、システム帯域幅内に離散的に分散した周波数サブキャリアからなる分散型リソースブロックを生成する分散型リソースブロックの生成手段を備えることを特徴とする送信装置。
【請求項３】
請求項１に記載の送信装置において：
前記第１のグループを構成するリソースブロックの総帯域幅は、受信チャネル状態の測定単位となる帯域幅と等しいことを特徴とする送信装置。
【請求項４】
請求項１ないし３のいずれか１項に記載の送信装置において：
前記周波数スケジューリング手段は、各移動局から、前記第１のグループ毎に測定されるチャネル状態に基づいて、前記第１のグループおよび前記１つ以上の第２のグループのうちの一方を割り当てることを特徴とする送信装置。
【請求項５】
請求項４に記載の送信装置において：
前記周波数スケジューリング手段は、各移動局が送信しようとするデータのサイズに基づいて、各移動局に対して前記第１のグループおよび１つ以上の前記第２のグループのうちの一方を割り当てることを特徴とする送信装置。
【請求項６】
請求項５に記載の送信装置において：
前記周波数スケジューリング手段は、各第１のグループにおいて、送信しようとするデータのサイズがある所定の閾値以上である移動局のうち、チャネル状態の最もよい移動局のチャネル状態と、送信しようとするデータのサイズが前記閾値未満である移動局のうち、予め決定された数の移動局のチャネル状態の平均とを比較し、チャネル状態の最もよい移動局のチャネル状態の方がよい場合、そのチャネル状態の最もよい移動局に第１のグループを割り当てることを特徴とする送信装置。
【請求項７】
請求項６に記載の送信装置において：
前記周波数スケジューリング手段は、各第１のグループにおいて、送信しようとするデータのサイズがある所定の閾値以上である移動局のうち、チャネル状態の最もよい移動局のチャネル状態と、送信しようとするデータのサイズが前記閾値未満である移動局のうち、予め決定された数の移動局のチャネル状態の平均とを比較し、チャネル状態の最もよい移動局のチャネル状態の方が悪い場合、前記予め決定された数の移動局に、第１のグループを構成するリソースブロックを割り当てることを特徴とする送信装置。
【請求項８】
請求項１ないし７のいずれか１項に記載の送信装置において：
前記制御情報生成手段は、移動局のＩＤと、該移動局に割り当てられるリソースブロックまたは分散型リソースブロックを示す情報と、リソースブロックのグループを示す情報と、リソースブロックのグループにおける割り当て情報からなる制御情報を作成することを特徴とする送信装置。
【発明の詳細な説明】
【技術分野】
【０００１】
本発明は、ＬＴＥ（Ｌｏｎｇ  Ｔｅｒｍ  Ｅｖｏｌｕｔｉｏｎ）システムに関し、特に送信装置に関する。
【背景技術】
【０００２】
Ｗ−ＣＤＭＡやＨＳＤＰＡの後継となる通信方式、すなわちＬＴＥ（Ｌｏｎｇ  Ｔｅｒｍ  Ｅｖｏｌｕｔｉｏｎ）が、Ｗ−ＣＤＭＡの標準化団体３ＧＰＰにより検討され、無線アクセス方式として、下りリンクについてはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクについてはＳＣ−ＦＤＭＡ（Ｓｉｎｇｌｅ−Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が検討されている（例えば、非特許文献１参照）。
【０００３】
ＯＦＤＭＡは、周波数帯域を複数の狭い周波数帯域（サブキャリア）に分割し、各周波数帯上にデータを載せて伝送を行う方式であり、サブキャリアを周波数上に、一部重なりあいながらも互いに干渉することなく密に並べることで、高速伝送を実現し、周波数の利用効率を上げることができる。
【０００４】
ＳＣ−ＦＤＭＡは、周波数帯域を分割し、複数の端末間で異なる周波数帯域を用いて伝送することで、端末間の干渉を低減することができる伝送方式である。ＳＣ−ＦＤＭＡでは、送信電力の変動が小さくなる特徴を持つことから、端末の送信機の構成を比較的簡素にできる。
【０００５】
また、下りリンクデータチャネルにおける送信方法には、ローカライズド（Ｌｏｃａｌｉｚｅｄ）型送信と、ディストリビューテッド（Ｄｉｓｔｒｉｂｕｔｅｄ）型送信とがある。
【０００６】
Ｌｏｃａｌｉｚｅｄ型送信では、図１Ａに示すように、各ユーザに対して、周波数ブロックを単位として割り当てられる。例えば、Ｌｏｃａｌｉｚｅｄ型送信では、周波数選択性フェージングがよい周波数ブロックが割り当てられる。Ｌｏｃａｌｉｚｅｄ型送信は、一般に、送信データサイズが大きく、周波数スケジューリング効果を狙う場合に有効な送信方法である。周波数ブロックはリソースブロックとも呼ばれる。
【０００７】
Ｄｉｓｔｒｉｂｕｔｅｄ型送信では、図１Ｂに示すように、周波数ブロックにこだわらず割り当てられた帯域全体に分散させてデータの送信が行われる。例えば、Ｄｉｓｔｒｉｂｕｔｅｄ型送信は、高速移動時における周波数スケジューリングができない状態、ＶｏＩＰなど送信データが小さい場合に使用される。Ｄｉｓｔｒｉｂｕｔｅｄ型送信は、一般に、送信データサイズが小さく、周波数ダイバーシチ効果を狙う場合に有利な送信方法である。
【０００８】
ＬＴＥでは、１つのシステムで、低速移動時から高速移動時までの通信およびデータサイズの大きいＷｅｂブラウジングのようなパケットからデータサイズの小さいＶｏＩＰなどのパケットをサポートする必要がある。
【０００９】
そこで、１つのシステムで、Ｌｏｃａｌｉｚｅｄ型送信とＤｉｓｔｒｉｂｕｔｅｄ型送信とをサポートするために、リソースブロックレベルで，Ｄｉｓｔｒｉｂｕｔｅｄ送信を行う場合に、１つのリソースブロックを複数に分割した分割ブロックをリソースブロックとして割り当てる通信装置が示されている。
【００１０】
この通信装置は、リソースブロックを割り当てた移動局に対する制御情報を作成する。例えば、割り当てられた帯域を複数に分割して形成された複数のリソースブロックに対して、その物理的な位置を示す識別符号、例えば識別番号が割り当てられる。
【００１１】
ここでは、複数のリソースブロックのうち、Ｄｉｓｔｒｉｂｕｔｅｄ型送信を行うリソースブロックの分割数と、その分割された分割リソースブロックの移動局への割り当て単位とを等しい値とし、これをＮＤとする（ＮＤは、ＮＤ＞０の整数）。すなわち、リソースブロックを単位として、分割リソースブロックが割り当てられる。図２Ａには、ＮＤ＝２について示される。図２Ａによれば、ＮＤ＝２である場合、Ｄｉｓｔｒｉｂｕｔｅｄ型送信を行うリソースブロックは２分割され、２個の分割リソースブロック、すなわち分割リソースブロックのペアが移動局への割り当て単位となる。この場合、Ｄｉｓｔｒｉｂｕｔｅｄ型送信を行うリソースブロックの物理的な位置は、Ｄｉｓｔｒｉｂｕｔｅｄ型送信を行うリソースブロックの数に応じて予め決定される。
【００１２】
この場合、割り当て情報を送信するための具体的なシグナリングのフォーマットは、図２Ｂに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプ、各リソースブロック、すなわちＬｏｃａｌｉｚｅｄ型送信を行うリソースブロックとＤｉｓｔｒｉｂｕｔｅｄ型送信を行うリソースブロックに対する割り当て情報の各フィールドから構成される。各リソースブロックに対する割り当て情報のフィールドには、リソースブロックに対応するサブフィールドが用意され、各サブフィールドに割り当ての有無を示す情報が付与される。この各リソースブロックに対する割り当て情報の指定方法をビットマップと呼ぶ。基地局は、このような割り当て情報を構成する制御ビットを、Ｌｏｃａｌｉｚｅｄ型送信と、Ｄｉｓｔｒｉｂｕｔｅｄ型送信を行うように割り当てた移動局数分送信する。
【非特許文献１】Ｒ２−０６２０３６，  “Ｅｖｏｌｖｅｄ  Ｕｎｉｖｅｒｓａｌ  Ｒａｄｉｏ  Ａｃｃｅｓｓ  （Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）；  Ｏｖｅｒａｌｌ  ｄｅｓｃｒｉｐｔｉｏｎ；  Ｓｔａｇｅ  ２，  ”  Ｓｅｃｔｉｏｎ  １６  ＲＦ  ａｓｐｅｃｔｓ
【発明の開示】
【発明が解決しようとする課題】
【００１３】
しかしながら、上述した背景技術には以下の問題がある。
【００１４】
リソースブロックは、システム帯域、すなわち割り当てられた帯域を複数に分割して形成される。そのリソースブロックのサイズについて検討が行われている。
【００１５】
リソースブロックのサイズを２５サブキャリア（３７５ｋＨｚ）とした場合には、１リソースブロックを必要としない送信データが数多く存在するため、リソースブロックのサイズを１２サブキャリア（１８０ｋＨｚ）とすることが提案されている。
【００１６】
これにより、リソースブロックの大きさが小さくなるので、割り当てられたシステム帯域に入るリソースブロックの数を増加させることができ、ユーザに割り当てるリソースブロックの自由度を大きくすることができる。しかし、リソースブロック数が増加するため、リソースブロックの割り当てを通知するシグナリングビット数が増大する。具体的には、図２Ｂを参照して説明した各リソースブロックに対する割り当て情報に必要なビット数が増加する。
【００１７】
リソースブロックの割り当てをユーザに通知するシグナリングに必要なビット数はリソースブロック数に比例する。このため、リソースブロック数が増加した分、シグナリングに必要なビット数が増加する。
【００１８】
例えば、システム帯域幅が１０ＭＨｚとした場合にはリソースブロック数が５０個程度となる。この場合、分離符号化（Ｓｅｐａｒａｔｅ  ｃｏｄｉｎｇ）とビットマップによる各リソースブロックに対する割り当て情報を指定する方法を適用するようにした場合、１移動局当たり６０ビット以上必要となる。
【００１９】
そこで、本発明は、上述した問題を解決するためになされたものであり、１つのシステムで、Ｌｏｃａｌｉｚｅｄ型送信と、Ｄｉｓｔｒｉｂｕｔｅｄ型送信とをサポートでき、リソースブロック数が増加した場合においても、ユーザにリソースブロックの割り当てを通知するシグナリングビットの増大を最低限にできる送信装置を提供することにある。
【課題を解決するための手段】
【００２０】
上記課題を解決するため、本発明の送信装置は、
各ユーザに対してシステム帯域幅を連続する周波数サブキャリアのブロックに分割したリソースブロックを単位として割り当てられ、
連続する複数のリソースブロックにより第１のグループを構成し、各第１のグループを構成する複数のリソースブロックのうち１つ以上ずつのリソースブロックにより複数の第２のグループを構成し、前記第１のグループおよび１つ以上の前記第２のグループのうちの一方のグループのリソースブロックを割り当てる周波数スケジューリング手段；
前記割り当てに応じて、前記リソースブロックへ送信データの割り当てを行うマッピング手段；
前記第１のグループおよび１つ以上の前記第２のグループのうちの一方が割り当てられた移動局に対する制御情報を生成する制御情報生成手段；
を備えることを特徴の１つとする。
【００２１】
また、別の構成例では、前記第２のグループの複数のリソースブロックを用いて、システム帯域幅内に離散的に分散した周波数サブキャリアからなる分散型リソースブロックを生成し、分散型リソースブロックを単位として割り当てるように構成される。
【００２２】
このように構成することにより、リソースブロックをグループ化でき、該グループを単位として、シグナリング情報（制御情報）を生成することができる。
【発明の効果】
【００２３】
本発明の実施例によれば、１つのシステムで、Ｌｏｃａｌｉｚｅｄ型送信と、Ｄｉｓｔｒｉｂｕｔｅｄ型送信とをサポートでき、リソースブロック数が増加した場合においても、ユーザにリソースブロックの割り当てを通知するシグナリングビットの増大を最低限にできる送信装置を実現できる。
【発明を実施するための最良の形態】
【００２４】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２５】
本発明の実施例にかかる送信装置について、図３を参照して説明する。
【００２６】
本実施例にかかる送信装置１００は、Ｌｏｃａｌｉｚｅｄ型送信の範疇で、Ｄｉｓｔｒｉｂｕｔｅｄ型送信を行う。送信装置１００は、例えば基地局に備えられる。すなわち、Ｌｏｃａｌｉｚｅｄ型送信を行うリソースブロックが複数に分割され、該分割されたリソースブロック（分割リソースブロック）が、Ｄｉｓｔｒｉｂｕｔｅｄ型送信を行うユーザに割り当てられる。
【００２７】
送信装置１００は、各移動局（ＵＥ）のモビリティを示す情報と、各移動局のトラフィックを示す情報、例えば送信データのサイズ、データの種類とが入力されるリソースブロック（ＲＢ）割り当て比率の切り替え部１０２と、各移動局の伝搬路情報、例えば下りリンクの伝搬路状況と、各移動局の優先度情報と、リソースブロック割り当て比率の切り替え部１０２の出力信号が入力される周波数スケジューリング部１０４と、周波数スケジューリング部１０４の出力信号がそれぞれ入力される制御情報生成部１０６および送信データ生成部１１２と、制御情報生成部１０６および送信データ生成部１１２の出力信号がそれぞれ入力される符号化率、データ変調決定部１０８および１１４と、符号化率、データ変調決定部１０８の出力信号が入力され、制御情報を出力するマッピング部１１０と、符号化率、データ変調決定部１１４の出力信号と、データとが入力され、データを出力するマッピング部１１６とを備える。
【００２８】
リソースブロック割り当て比率の切り替え部１０２は、各移動局のモビリティを示す情報と、トラヒック情報などとに基づいて、Ｌｏｃａｌｉｚｅｄ型送信を行う移動局、Ｄｉｓｔｒｉｂｕｔｅｄ型送信を行う移動局を決定し、Ｌｏｃａｌｉｚｅｄ型送信を行う移動局、Ｄｉｓｔｒｉｂｕｔｅｄ型送信を行う移動局に対し、それぞれどのような比率で、リソースブロックを配分するかを決定し、求めた値をリソースブロック割り当て比率情報として周波数スケジューリング部１０４に入力する。
【００２９】
リソースブロック割り当て比率の切り替え部１０２は、例えば高モビリティの移動局や、ＶｏＩＰのようなデータ量の小さいトラヒックを送信する移動局を、Ｄｉｓｔｒｉｂｕｔｅｄ型送信を行う移動局に決定する。また、リソースブロック割り当て比率の切り替え部１０２は、リソースブロックの割り当て比率の決定を、例えば高モビリティの移動局が多い場合や、ＶｏＩＰのようなデータ量の小さいトラヒックを送信する移動局が多い場合は、Ｄｉｓｔｒｉｂｕｔｅｄ型を割り当てるリソースブロックの比率を大きくする。
【００３０】
周波数スケジューリング部１０４は、入力された各移動局の伝搬路を示す情報と、各移動局の優先度を示す情報と、リソースブロック割り当て比率情報に基づいて、各移動局へのリソースブロックの割り当てを行う。ここで、優先度情報とは、例えば、再送要求の有無、送信端末からパケットが送出されてからの経過時間、目標伝送レート、実現できているスループット、パケット転送における許容遅延などのような項目を考慮して移動局毎に数値化された情報である。
【００３１】
例えば、周波数スケジューリング部１０４は、所定の周期、例えばスケジューリングの周期毎に、各移動局の状態、例えばチャネル状態、トラヒックに応じて決定されたリソースブロック割り当て比率情報に基づいて、Ｌｏｃａｌｉｚｅｄ型送信を行うリソースブロックとＤｉｓｔｒｉｂｕｔｅｄ型送信を行うリソースブロックの割り当ての比率を適応的に切り替える。このようにすることにより、データチャネルのスループットを増大することができる。
【００３２】
また、周波数スケジューリング部１０４は、長周期で、各移動局の状態、例えばトラヒックに応じて決定されたリソースブロック割り当て比率情報に基づいて、Ｌｏｃａｌｉｚｅｄ型送信を行うリソースブロックとＤｉｓｔｒｉｂｕｔｅｄ型送信を行うリソースブロックの割り当ての比率を切り替えるようにしてもよい。このようにすることにより、スケジューリングの周期毎に切り替えを行う場合と比較して制御が容易である。
【００３３】
例えば、周波数スケジューリング部１０４は、図４に示すように、Ｌｏｃａｌｉｚｅｄ型送信を行うデータとＤｉｓｔｒｉｂｕｔｅｄ型送信を行うデータとをリソースブロックを割り当て単位として割り当てる。すなわち、周波数スケジューリング部１０４は、各ユーザに対してシステム帯域幅を連続する周波数サブキャリアのブロックに分割したリソースブロックを割り当て単位として、システム帯域幅内に離散的に分散した周波数サブキャリアからなる分散型リソースブロックを割り当てる。このようにすることにより、Ｄｉｓｔｒｉｂｕｔｅｄ型送信を行う場合に必要であるシグナリング情報を不要にできる。
【００３４】
また、周波数スケジューリング部１０４は、リソースブロックレベルでＤｉｓｔｒｉｂｕｔｅｄ型送信を行う場合に、１つのリソースブロックを複数に分割、例えばＮ分割（Ｎは、Ｎ＞０の整数）する。すなわち、周波数スケジューリング部１０４は、分散型リソースブロックを、Ｄｉｓｔｒｉｂｕｔｅｄ型送信を行うユーザに対するリソースブロックとして割り当てる。ここで、リソースブロックとは、ユーザをマッピングする単位、例えばあるユーザを割り当てる単位でもある。
【００３５】
例えば、周波数スケジューリング部１０４は、図５Ａに示すように、１つのリソースブロックを時間方向に複数に分割、例えば２分割し、Ｄｉｓｔｒｉｂｕｔｅｄ型送信を行う各移動局、例えば２ユーザにＤｉｓｔｒｉｂｕｔｅｄ型送信を行うユーザに対するリソースブロックを割り当てる。例えば、図５Ａに示すように、周波数スケジューリング部１０４は、第１ブロックと第２にブロックとを異なるユーザに割り当てる。
【００３６】
また例えば、周波数スケジューリング部１０４は、図５Ｂに示すように、１つのリソースブロックを周波数方向に複数に分割、例えば２分割し、Ｄｉｓｔｒｉｂｕｔｅｄ型送信を行う各移動局、例えば２ユーザにＤｉｓｔｒｉｂｕｔｅｄ型送信を行うユーザに対するリソースブロックを割り当てるようにしてもよい。例えば、図５Ｂに示すように、周波数スケジューリング部１０４は、第１ブロックと第２にブロックとを異なるユーザに割り当てる。
【００３７】
図５Ａおよび図５Ｂにおいて、先頭の２シンボルはパイロットとシグナリングビット、すなわちパイロットチャネルとＬ１／Ｌ２制御チャネルとなる。
【００３８】
リソースブロックレベルで、Ｄｉｓｔｒｉｂｕｔｅｄ型送信を行う場合では、複数のＤｉｓｔｒｉｂｕｔｅｄ型送信を行うユーザに対するリソースブロック、すなわち、分散型リソースブロックを割り当てないと周波数ダイバーシチ効果が得られない。このため、ＶｏＩＰのようにデータ量の小さいトラヒックでは、１リソースブロックに全てのデータが収まってしまい、周波数ダイバーシチ効果が得られない。ＶｏＩＰでは、例えば１８０ビットが１パケットのデータ量になる。
【００３９】
このように、リソースブロックをＮ分割することによって、もともと１つのリソースブロックに収まってしまうパケットを、Ｎ個の分散型リソースブロックに割り当てられるので、周波数ダイバーシチ効果を増大することができる。
【００４０】
制御情報生成部１０６は、周波数スケジューリング部１０４においてリソースブロックを割り当てた移動局に対応する制御情報を作成する。
【００４１】
符号化率、データ変調決定部１０８は、制御情報を送信する場合に使用する符号化率、データ変調の値を決定する。
【００４２】
マッピング部１１０は、符号化率、データ変調決定部１０８において決定されたデータ変調および符号化を行い、物理チャネルにマッピングを行う。その結果、制御情報が送信される。
【００４３】
送信データ生成部１１２は、各移動局に割り当てられたリソースブロック数に応じて、送信データを作成する。例えば、送信データ生成部１１２は、送信データ量を決定する。
【００４４】
符号化率、データ変調決定部１１４は、周波数スケジューリング部１０４で割り当てられた各移動局のデータ、制御情報に対し、それぞれ符号化率、データ変調の値を決定する。
【００４５】
マッピング部１１６は、データ変調、および符号化を行い、物理チャネルにマッピングを行う。
【００４６】
次に、上述した周波数スケジューリング部１０４の動作の具体例について説明する。
【００４７】
上述したように、システム帯域が複数に分割され、各分割された帯域をリソースブロックと呼ぶ。本実施例では、割り当てられた帯域を分割して得られるリソースブロックの数をＮＰＲＢ個とする（ＮＰＲＢは、ＮＰＲＢ＞１の整数）。各リソースブロックには、各リソースブロック識別するための識別符号、例えば識別番号が割り当てられる。本実施例では、一例として、割り当てられた帯域が４８に分割され、４８個のリソースブロックに対して、連続する３個のリソースブロックがグループ化され（第１のグループ）、同様の識別番号が割り当てられる場合について説明するが、分割数が４８よりも少ない場合及び多い場合にも適用できる。また、第１のグループに属するリソースブロックの数は一例であり３よりも少ない場合及び多い場合にも適用できる。
【００４８】
例えば、図６に示すように、１リソースブロックが１２サブキャリア（１８０ｋＨｚ）により構成される場合、第１のグループは、３６サブキャリア（５４０ｋＨｚ）となる。
【００４９】
また、各第１のグループを構成する複数のリソースブロックのうち１つ以上ずつのリソースブロックにより複数の第２のグループとしての他のグループを構成する。例えば、各第１のグループを構成する連続する３個のリソースブロックのうち、同様の位置となるリソースブロックがグループ化され、第２、第３および第４のグループを構成する。
【００５０】
Ｌｏｃａｌｉｚｅｄ型送信が行われるユーザに対しては、第１、第２、第３および第４のグループを単位として、リソースブロックが割り当てられる。
【００５１】
この場合、送信機を備える基地局は、下りリンクにおける周波数スケジューリングを行なう。移動局は、この周波数スケジューリングに使用されるチャネル状態を基地局に通知するが、このチャネル状態は第１のグループを単位として通知される。第１のグループを構成するリソースブロックの総帯域幅は、受信チャネル状態の測定単位となる帯域幅と等しい。すなわち、移動局は第１グループに含まれる各リソースブロック、本実施例では３個のリソースブロックのチャネル状態を平均化し、第１のグループのチャネル状態として通知する。このようにすることにより、必要以上に高い分解能の受信チャネルの測定、フィードバックを必要とせずに、第２のグループ−第４のグループのリソースブロックの割り当てにおいても周波数スケジューリングを適用することができる。すなわち、グループ毎に受信チャネルの測定、フィードバックを行う必要がない。
【００５２】
送信データの小さいユーザに対しては第２−第４のグループを単位として割り当てが行われる。この第２−第４のグループを単位として割り当てが行われる場合には、移動局から通知されるチャネル状態としては同じ値であるので他の条件に基づいて割り当てが行われる。一方、送信データの大きいユーザに対しては第１のグループを単位として割り当てが行われる。
【００５３】
Ｄｉｓｔｒｉｂｕｔｅｄ型送信が行われるユーザに対しては、リソースブロックの分割数に応じて、分散型リソースブロックが、リソースブロックを単位として割り当てられる。すなわち、上述した第２のグループとしての他のグループの複数のリソースブロックを用いて、システム帯域幅内に離散的に分散した周波数サブキャリアからなる分散型リソースブロックを生成する。この場合、各第１のグループを構成する連続する３個のリソースブロックのうち、同様の位置となる分割数個の分散型リソースブロックを第５−第７のグループと呼ぶ。例えば、分割数が２の場合、図７に示すように、２個の分散型リソースブロックが第５−第７のグループとなる。
【００５４】
次に、上述したＬｏｃａｌｉｚｅｄ型送信を行う移動局に対するリソースブロックの割り当てと、Ｄｉｓｔｒｉｂｕｔｅｄ型送信を行う移動局する分散型リソースブロックの割り当てについて説明する。
【００５５】
ＲＢ割り当て比率の切り替え部１０２は、Ｄｉｓｔｒｉｂｕｔｅｄ型送信を行う移動局の割合、トラヒック量に基づいて、必要なＤｉｓｔｒｉｂｕｔｅｄ型送信を行うリソースブロック数を決定する。ここで、Ｄｉｓｔｒｉｂｕｔｅｄ型送信を行う移動局の割合とは、例えば、Ｌｏｃａｌｉｚｅｄ型送信を行う移動局のデータサイズとＤｉｓｔｒｉｂｕｔｅｄ型送信を行う移動局のデータサイズとの比である。図８には、６個のＤｉｓｔｒｉｂｕｔｅｄ型送信を行うリソースブロックが生成される場合を示す。すなわち、Ｄｉｓｔｒｉｂｕｔｅｄ型送信を行う分散型リソースブロックは、リソースブロックを単位として割り当てられるため、６個となる。
【００５６】
次に、周波数スケジューリング部１０４は、各移動局にＬｏｃａｌｉｚｅｄ型送信を行うリソースブロックを割り当てる。この場合、Ｄｉｓｔｒｉｂｕｔｅｄ型送信を行うリソースブロックとして決定されたリソースブロック以外のリソースブロックが割り当てられる。
【００５７】
上述したように、移動局は、チャネル状態を第１のグループを単位として通知している。周波数スケジューリング部１０４は、通知されたチャネル状態に基づいて、以下のようにして、Ｌｏｃａｌｉｚｅｄ型送信を行う各移動局にリソースブロックを割り当てる。
【００５８】
図９には、Ｌｏｃａｌｉｚｅｄ型送信を行う移動局にリソースブロックを割り当てる例が示される。
【００５９】
周波数スケジューリング部１０４は、各移動局が通知してきたチャネル状態、例えばＣＱＩ（Ｃｈａｎｎｅｌ  Ｑｕａｌｉｔｙ  Ｉｎｄｉｃａｔｏｒ）に基づいて、Ｌｏｃａｌｉｚｅｄ型送信を行う移動局を、リソースブロックに割り当てる。
【００６０】
周波数スケジューリング部１０４は、Ｌｏｃａｌｉｚｅｄ型送信を行う移動局を、送信するデータのサイズが大きい移動局と、小さい移動局とに分類する。例えば、周波数スケジューリング部１０４は、送信しようとするデータのサイズの閾値を設定し、該閾値に基づいて移動局を分類する。
【００６１】
次に、各移動局が通知してきたチャネル状態を用いて、第１のグループ毎に、送信するデータのサイズが小さい移動局が通知してきたチャネル状態の平均を求める。ここで、チャネル状態の平均を求める移動局の数は予め決定される。例えば、第１のグループとしてグループ化されるリソースブロックの数と同じにする。
【００６２】
次に、各第１のグループにおいて、送信するデータのサイズが大きな移動局のチャネル状態が，送信するデータのサイズが小さな移動局のチャネル状態の平均よりも大きければ、該第１のグループを送信するデータのサイズが大きな移動局に割り当てる。ここで、送信するデータのサイズが大きな移動局とは、大きいデータサイズの送信を要求している移動局のうち、最もチャネル状態のよい移動局である。また、送信するデータのサイズが小さな移動局とは、小さいデータサイズの送信を要求している移動局のうち、上述したように予め決定された所定数の移動局を示す。
【００６３】
また、各第１のグループにおいて、送信するデータのサイズが大きな移動局のチャネル状態が，送信するデータのサイズが小さな移動局のチャネル状態の平均よりも小さければ、該第１のグループを各リソースブロックに分離し、送信するデータのサイズが小さな移動局に割り当てる。例えば、チャネル状態の平均を求める移動局の数が、第１のグループとしてグループ化されるリソースブロックの数と同じである場合、各リソースブロックを各移動局に割り当てる。本実施例では、平均化される移動局の数が３であるので、第１のグループを構成する３個のリソースブロックに割り当てることができる。例えば、５４０ｋＨｚのリソースブロックを１８０ｋＨｚのリソースブロックに分離し、送信するデータのサイズが小さな移動局に対して割り当てる。
【００６４】
次に、制御情報生成部１０６により作成される制御情報について、図１０Ａを参照して説明する。
【００６５】
移動局に対する制御情報は、図１０Ａに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプ、リソースブロックのグループを示す情報およびリソースブロックのグループにおける割り当て情報の各フィールドにより構成される。リソースブロックのグループにおける割り当て情報には、第１、第２、第３および第４のグループの数に相当し、本実施例では１６個のサブフィールドが用意される。
【００６６】
例えば、伝送タイプとして、Ｌｏｃａｌｉｚｅｄ型送信を示す“０”が付帯され、リソースブロックのグループ情報として第１、第２、第３または第４のグループであることを示す情報が付帯された場合、リソースブロックのグループにおける割り当て情報の各サブフィールドは、各第１、第２、第３または第４のグループを示し、各第１、第２、第３または第４のグループにおける割り当ての有無を示す情報、例えば割り当てられている場合には“１”、割り当てられていない場合には“０”が付帯される。
【００６７】
また、例えば、伝送タイプとして、Ｄｉｓｔｒｉｂｕｔｅｄ型送信を示す“１”が付帯され、リソースブロックのグループ情報として第５、第６または第７のグループであることを示す情報が付帯された場合、リソースブロックのグループにおける割り当て情報の各サブフィールドは、各第５、第６、または第７のグループの割り当てられる位置を示し、各第５、第６、または第７のグループにおける割り当ての有無を示す情報、例えば割り当てられている場合には“１”、割り当てられていない場合には“０”が付帯される。
【００６８】
次に、制御情報生成部１０６により作成される他の制御情報について、図１０Ｂを参照して説明する。ここでは、複数のグループを割り当てる場合の制御情報について説明する。
【００６９】
移動局に対する制御情報は、図１０Ｂに示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプ、所定のグループにおけるリソースブロックの割り当て情報、リソースブロックのグループを示す情報およびリソースブロックのグループを示す情報で指定されたグループにおける割り当て情報の各フィールドにより構成される。所定のグループにおけるリソースブロックの割り当て情報
およびリソースブロックのグループを示す情報で指定されたグループにおける割り当て情報には、第１、第２、第３および第４のグループの数に相当し、本実施例では１６個のサブフィールドが用意される。
【００７０】
例えば、伝送タイプとして、Ｌｏｃａｌｉｚｅｄ型送信を示す“０”が付帯され、リソースブロックのグループ情報として第１、第２、第３または第４のグループであることを示す情報が付帯された場合、リソースブロックのグループを示す情報で指定されたグループにおける割り当て情報の各サブフィールドは、第１、第２、第３または第４のグループを示し、第１、第２、第３または第４のグループにおける割り当ての有無を示す情報、例えば割り当てられている場合には“１”、割り当てられていない場合には“０”が付帯される。また、所定のグループにおけるリソースブロックの割り当て情報の各サブフィールドは、予め決定されたグループ、例えば、リソースブロックのグループ情報により指定されたグループ以外のグループにおける割り当ての有無を示す情報、例えば割り当てられている場合には“１”、割り当てられていない場合には“０”が付帯される。
【００７１】
また、例えば、伝送タイプとして、Ｄｉｓｔｒｉｂｕｔｅｄ型送信を示す“１”が付帯され、リソースブロックのグループ情報として第２、第３または第４のグループであることを示す情報が付帯された場合、リソースブロックのグループにおける割り当て情報の各サブフィールドは、各第２、第３または第４のグループから生成される分散型リソースブロックのグループである、各第５、第６、または第７のグループの割り当てられる位置を示し、各第５、第６、または第７のグループにおける割り当ての有無を示す情報、例えば割り当てられている場合には“１”、割り当てられていない場合には“０”が付帯される。また、所定のグループにおけるリソースブロックの割り当て情報の各サブフィールドは、予め決定されたグループ、例えば、リソースブロックのグループ情報により指定されたグループ以外のグループにおける割り当ての有無を示す情報、例えば割り当てられている場合には“１”、割り当てられていない場合には“０”が付帯される。
【００７２】
次に、制御情報生成部１０６により作成される他の制御情報について、図１１および１２を参照して説明する。
【００７３】
移動局に対する制御情報は、図１１に示すように、割り当てられた移動局のＩＤ（ＵＥ−ＩＤ）、Ｌｏｃａｌｉｚｅｄ型送信を行うかＤｉｓｔｒｉｂｕｔｅｄ型送信を行うかを示す伝送タイプ、第１のグループのリソースブロックにおける割り当て情報および第１のグループにおける割り当て情報の各フィールドにより構成される。
【００７４】
第１のグループのリソースブロックにおける割り当て情報には、図１２に示すように、第１のグループを構成するリソースブロックの割り当て情報が付帯される。例えば、第１のグループのリソースブロックにおける割り当て情報に対応して、割り当てられるリソースブロックの組み合わせが予め決定される。
【００７５】
第１のグループにおける割り当て情報には、第１のグループを単位として、割り当ての有無を示す情報、例えば割り当てられている場合には“１”、割り当てられていない場合には“０”が付帯される。
【００７６】
本実施例によれば、連続する複数のリソースブロックにより第１のグループを構成し、各第１のグループを構成する複数のリソースブロックのうち同様の位置となるリソースブロックにより第２のグループを構成し、前記第１のグループおよびひとつ以上の前記第２のグループのうちの一方を割り当てることができる。また、リソースブロックのグループを示す識別番号指定することにより、各グループに対する割り当てを指定することができるため、リソースブロック数が増加した場合においても、ユーザにリソースブロックの割り当てを通知するシグナリングビットの増大を最低限にできる。
【産業上の利用可能性】
【００７７】
本発明にかかる送信装置は、無線通信システムに適用できる。
【図面の簡単な説明】
【００７８】
【図１Ａ】Ｌｏｃａｌｉｚｅｄ型送信を示す説明図である。
【図１Ｂ】Ｄｉｓｔｒｉｂｕｔｅｄ型送信を示す説明図である。
【図２Ａ】周波数スケジューリングの一例を示す説明図である。
【図２Ｂ】シグナリングフォーマットの一例を示す説明図である。
【図３】本発明の一実施例にかかる送信装置を示す部分ブロック図である。
【図４】本発明の一実施例にかかる送信装置における周波数スケジューリングを示す説明図である。
【図５Ａ】本発明の一実施例にかかる送信装置における周波数スケジューリングを示す説明図である。
【図５Ｂ】本発明の一実施例にかかる送信装置における周波数スケジューリングを示す説明図である。
【図６】Ｌｏｃａｌｉｚｅｄ型送信を行うリソースブロックの構成を示す説明図である。
【図７】Ｄｉｓｔｒｉｂｕｔｅｄ型送信を行うリソースブロックの構成を示す説明図である。
【図８】Ｌｏｃａｌｉｚｅｄ型送信およびＤｉｓｔｒｉｂｕｔｅｄ型送信を行うリソースブロックの割り当ての一例を示す説明図である。
【図９】Ｌｏｃａｌｉｚｅｄ型送信を行うリソースブロックを移動局に割り当てる一例を示す説明図である。
【図１０Ａ】本発明の一実施例にかかる送信装置におけるシグナリングのフォーマットの一例を示す説明図である。
【図１０Ｂ】本発明の一実施例にかかる送信装置におけるシグナリングのフォーマットの一例を示す説明図である。
【図１１】本発明の一実施例にかかる送信装置におけるシグナリングのフォーマットの一例を示す説明図である。
【図１２】第１のグループのリソースブロックにおける割り当て情報と割り当てられるリソースブロックとの対応の一例を示す説明図である。
【符号の説明】
【００７９】
１００  送信装置
【図１Ａ】
2008053858.tif 000003
【図１Ｂ】
2008053858.tif 000004
【図２Ａ】
2008053858.tif 000005
【図２Ｂ】
2008053858.tif 000006
【図３】
2008053858.tif 000007
【図４】
2008053858.tif 000008
【図５Ａ】
2008053858.tif 000009
【図５Ｂ】
2008053858.tif 000010
【図６】
2008053858.tif 000011
【図７】
2008053858.tif 000012
【図８】
2008053858.tif 000013
【図９】
2008053858.tif 000014
【図１０Ａ】
2008053858.tif 000015
【図１０Ｂ】
2008053858.tif 000016
【図１１】
2008053858.tif 000017
【図１２】
2008053858.tif 000018